(57)【特許請求の範囲】
【請求項１】
中央部に縦糸と横糸とを織成し、得られた筒状ジャケットを導出する織成部を有する本体と、この本体に前記織成部を中心として円筒状に等間隔に配置され外周から織成部に向って導かれる縦糸を上下動自在に案内する多数本のシャットルガイドピンと、これらシャットルガイドピンの内側に設けられ前記織成部を中心として旋回するとともに、横糸を織成部に向って導く横糸ボビンを備えた偶数のシャットルと、このシャットルにそれぞれ対応して設けられ前記シャットルガイドピンに上下動自在に案内された縦糸を上位に位置させる山部と縦糸を下位に位置させる谷部を外周部に交互に有し、回転によって縦糸を上下に振り分けるシェディングホイールとからなり、前記シャットルガイドピンによって放射状に配置された縦糸をシェディングホイールの回転によって交互に上下に振り分けるとともに、振り分けられた縦糸の間にシャットルを通過させ、横糸ボビンに巻回された横糸を螺旋状に織り込むことにより、筒状ジャケットを織成する円筒織機において、
前記シャットルガイドピンを奇数本として奇数本の縦糸を前記織成部に導くと共に、前記偶数のシャットルのうち、１つおきのシャットルに対応するシェディングホイールの外周部を山部のみとすると共に、そのシャットルの横糸ボビンから補助糸を導出し、他のシャットルで織成された筒状ジャケットの外周に前記補助糸を螺旋状に巻き付けるようにしたことを特徴とする円筒織機。
【請求項２】
中央部に縦糸と横糸とを織成し、得られた筒状ジャケットを導出する織成部を有する本体と、この本体に前記織成部を中心として円筒状に等間隔に配置され外周から織成部に向って導かれる縦糸を上下動自在に案内する多数本のシャットルガイドピンと、これらシャットルガイドピンの内側に設けられ前記織成部を中心として旋回するとともに、横糸を織成部に向って導く横糸ボビンを備えた偶数のシャットルと、このシャットルにそれぞれ対応して設けられ前記シャットルガイドピンに上下動自在に案内された縦糸を上位に位置させる山部と縦糸を下位に位置させる谷部を外周部に交互に有し、回転によって縦糸を上下に振り分けるシェディングホイールとからなり、前記シャットルガイドピンによって放射状に配置された縦糸をシェディングホイールの回転によって交互に上下に振り分けるとともに、振り分けられた縦糸の間にシャットルを通過させ、横糸ボビンに巻回された横糸を螺旋状に織り込むことにより、筒状ジャケットを織成する円筒織機において、
前記シャットルガイドピンを奇数本として奇数本の縦糸を前記織成部に導くと共に、前記偶数のシャットルのうち、１つおきのシャットルに対応するシェディングホイールの外周部に、その外周縁部で複数の前記縦糸を連続して上位に位置させる山部を形成し、これら山部の間に前記縦糸を下位に位置させる谷部を設けると共に、そのシャットルの横糸ボビンから補助糸を導出し、他のシャットルで織成された筒状ジャケットの外周に螺旋状に巻き付けた前記補助糸を部分的に前記縦糸で固定するようにしたことを特徴とする円筒織機。
【請求項３】
中央部に縦糸と横糸とを織成し、得られた筒状ジャケットを導出する織成部を有する本体と、この本体に前記織成部を中心として円筒状に等間隔に配置され外周から織成部に向って導かれる縦糸を上下動自在に案内する多数本のシャットルガイドピンと、これらシャットルガイドピンの内側に設けられ前記織成部を中心として旋回するとともに、横糸を織成部に向って導く横糸ボビンを備えたシャットルと、このシャットルにそれぞれ対応して設けられ前記シャットルガイドピンに上下動自在に案内された縦糸を上位に位置させる山部と縦糸を下位に位置させる谷部を外周部に交互に有し、回転によって縦糸を上下に振り分けるシェディングホイールとからなり、前記シャットルガイドピンによって放射状に配置された縦糸をシェディングホイールの回転によって交互に上下に振り分けるとともに、振り分けられた縦糸の間にシャットルを通過させ、横糸ボビンに巻回された横糸を螺旋状に織り込むことにより、筒状ジャケットを織成する円筒織機において、
前記シャットルの個数と同じ個数の、前記織成部に補助糸を導出する補助糸ボビンを設け、補助糸ボビンから補助糸を導出し、シャットルで織成された筒状ジャケットの外周に螺旋状に巻き付けるようにしたことを特徴とする円筒織機。
【発明の詳細な説明】
【０００１】
【発明の属する技術分野】
この発明は、例えば消防用吸管や屋内消火栓用保形ホース用の筒状ジャケットを織成する円筒織機に関する。
【０００２】
【従来の技術】
この種のホースは、繊維を筒状に織成したジャケットの内面にゴムまたは合成樹脂のライニング層を施したジャケットホースが用いられている。すなわち、繊維よりなる縦糸と、金属線状体または合成樹脂線状体からなる横糸とを筒状に織成し、このジャケットの内側にゴムまたは合成樹脂のライニング層を施している。ホースのジャケットは、縦糸にポリエステルスパン糸を複数本燃り合わせた糸条を使用し、横糸に鋼線またはポリエステルモノフィラメント糸を使用し、筒状に織成したものである。そして、このジャケットの内面にポリエステル系ＴＰＥのライニング層を施している。
【０００３】
ところで、筒状ジャケットを織成する円筒織機は、例えば、図８〜図１０に示すように構成されている。すなわち、本体１の中央部には縦糸と横糸とを織成して得られた筒状ジャケット２を導出する円筒体３が設けられ、円筒体３の上部には縦糸と横糸とを織成する織成部４が設けられている。円筒体３の外周部には軸受５を介して回転筒体６が嵌合されており、この回転筒体６は図示しない駆動機構によって回転駆動するようになっている。回転筒体６の上端部には織成部４と略同一高さ位置で、織成部４を中心として回転する回転円盤７が設けられている。
【０００４】
回転円盤７の外周には円筒状に等間隔に配置された多数本（奇数）のシャットルガイドピン８が設けられている。シャットルガイドピン８は下端部が本体１に固定された下部リング９ａに固定され、上端部が上部リング９ｂに固定されている。そして、シャットルガイドピン８の相互間は縦糸ａを挿通する挿通部に形成され、したがって、奇数本の縦糸ａは挿通部に挿通された状態で下部リング９ａと上部リング９ｂとの間で上下動自在になっている。
【０００５】
また、前記回転円盤７の上部には織成部４を中心に対称的に２つのシャットル１０ａ，１０ｂが設けられている。シャットル１０ａ，１０ｂはリング状のシャットルガイド１１の内周面に沿って旋回するシャットル本体１２に対して横糸ボビン１３が回転自在に設けられ、この横糸ボビン１３には横糸ｂが巻回されている。シャットル本体１２の両端部には織成部４に向って延出する支持ロッド１４が設けられ、この支持ロッド１４の先端部間には縦糸ガイド１５及びセクタ１６が設けられ、セクタ１６によって横糸ｂを縦糸ａ相互の交叉部に押込むようになっている。
【０００６】
シャットル１０ａ，１０ｂの旋回方向側にはシェディングホイール１７ａ，１７ｂが設けられている。シェディングホイール１７ａ，１７ｂはシャットルガイドピン８の内側で、斜めに取付けられており、このシェディングホイール１７ａ，１７ｂの外周部にはシャットルガイドピン８相互間の挿通部に挿通された縦糸ａを上位に位置させる山部１８と縦糸ａを下位に位置させる谷部１９とが交互に設けられている。すなわち、シャットルガイドピン８相互間の挿通部に挿通された縦糸ａの中途部がシェディングホイール１７ａ，１７ｂの山部１８に掛止しているときは、縦糸ａは上位に位置し、谷部１９に落ち込んだときには、縦糸ａが下位に位置し、織成部４で縦糸ａ相互を交叉させるようになっている。
【０００７】
シェディングホイール１７ａ，１７ｂの回転軸２０は傾斜した状態で、回転円盤７に設けられた軸受２１に回転自在に軸支されており、なおかつ、山部１８に設けられた凸部１８ａがシャットルガイドピン８の相互間の挿通部に嵌着されている。そして、回転円盤７が回転するので、シェディングホイール１７ａ，１７ｂも回転する。このように、シェディングホイール１７ａ，１７ｂは回転によってシャットルガイドピン８相互間の挿通部に挿通された縦糸ａの中途部を上下に振り分けるようになっている。すなわち、シャットルガイドピン８によって放射状に配置された縦糸ａをシェディングホイール１７ａ，１７ｂの回転によって交互に上下に振り分けるとともに、振り分けられた縦糸ａの間にシャットル１０ａ，１０ｂを通過させ、横糸ボビン１３に巻回された横糸ｂを螺旋状に織り込んで筒状ジャケット２を連続的に織成できるようになっている。
【０００８】
【発明が解決しようとする課題】
ところで、前述のように構成された円筒織機は、縦糸ａをシェディングホイール１７ａ，１７ｂによって上下に振り分け、振り分けられた縦糸ａ相互間にシャットル１０ａ，１０ｂによって横糸ｂを螺旋状に導入して筒状ジャケット２を織成する円筒織機である。
【０００９】
したがって、例えばジャケットの耐摩耗性を向上させるために、ジャケットの外周で、織成された横糸ｂ相互間に補助糸を螺旋状に巻回し、補助糸でジャケットを被覆した外面被覆ホース用のジャケットを織成しようとした場合、従来の円筒織機では織成することができない。このため、従来においては、前述した円筒織機によって筒状ジャケットを織成した後、別工程で、筒状ジャケットの外周に補助糸を螺旋状に巻回することが試みられていたが、筒状ジャケットの外周に補助糸を一定のテンションで螺旋状に密巻することは不可能であった。
【００１０】
この発明は、前記事情に着目してなされたもので、その目的とするところは、従来の円筒織機を一部改良するだけで、筒状ジャケットを織成すると共に、その筒状ジャケットに補助糸を一工程で螺旋状に連続的に巻回して外面被覆ホース用のジャケットを織成できる円筒織機を提供することにある。
【００１１】
【課題を解決するための手段】
この発明は、前述した目的を達成するために、請求項１は、中央部に縦糸と横糸とを織成し、得られた筒状ジャケットを導出する織成部を有する本体と、この本体に前記織成部を中心として円筒状に等間隔に配置され外周から織成部に向って導かれる縦糸を上下動自在に案内する多数本のシャットルガイドピンと、これらシャットルガイドピンの内側に設けられ前記織成部を中心として旋回するとともに、横糸を織成部に向って導く横糸ボビンを備えた偶数のシャットルと、このシャットルにそれぞれ対応して設けられ前記シャットルガイドピンに上下動自在に案内された縦糸を上位に位置させる山部と縦糸を下位に位置させる谷部を外周部に交互に有し、回転によって縦糸を上下に振り分けるシェディングホイールとからなり、前記シャットルガイドピンによって放射状に配置された縦糸をシェディングホイールの回転によって交互に上下に振り分けるとともに、振り分けられた縦糸の間にシャットルを通過させ、横糸ボビンに巻回された横糸を螺旋状に織り込むことにより、筒状ジャケットを織成する円筒織機において、前記シャットルガイドピンを奇数本として奇数本の縦糸を前記織成部に導くと共に、前記偶数のシャットルのうち、一方のシャットルに対応するシェディングホイールの外周部を山部のみとすると共に、そのシャットルの横糸ボビンから補助糸を導出し、他のシャットルで織成された筒状ジャケットの外周に前記補助糸を螺旋状に巻き付けることを特徴とする。
【００１２】
請求項２は、中央部に縦糸と横糸とを織成し、得られた筒状ジャケットを導出する織成部を有する本体と、この本体に前記織成部を中心として円筒状に等間隔に配置され外周から織成部に向って導かれる縦糸を上下動自在に案内する多数本のシャットルガイドピンと、これらシャットルガイドピンの内側に設けられ前記織成部を中心として旋回するとともに、横糸を織成部に向って導く横糸ボビンを備えた偶数のシャットルと、このシャットルにそれぞれ対応して設けられ前記シャットルガイドピンに上下動自在に案内された縦糸を上位に位置させる山部と縦糸を下位に位置させる谷部を外周部に交互に有し、回転によって縦糸を上下に振り分けるシェディングホイールとからなり、前記シャットルガイドピンによって放射状に配置された縦糸をシェディングホイールの回転によって交互に上下に振り分けるとともに、振り分けられた縦糸の間にシャットルを通過させ、横糸ボビンに巻回された横糸を螺旋状に織り込むことにより、筒状ジャケットを織成する円筒織機において、前記シャットルガイドピンを奇数本として奇数本の縦糸を前記織成部に導くと共に、前記偶数のシャットルのうち、１つおきのシャットルに対応するシェディングホイールの外周部に、その外周縁部で複数の前記縦糸を連続して上位に位置させる山部を形成し、これら山部の間に前記縦糸を下位に位置させる谷部を設けると共に、そのシャットルの横糸ボビンから補助糸を導出し、他のシャットルで織成された筒状ジャケットの外周に螺旋状に巻き付けた前記補助糸を部分的に前記縦糸で固定するようにしたことを特徴とする。
【００１３】
請求項３は、中央部に縦糸と横糸とを織成し、得られた筒状ジャケットを導出する織成部を有する本体と、この本体に前記織成部を中心として円筒状に等間隔に配置され外周から織成部に向って導かれる縦糸を上下動自在に案内する多数本のシャットルガイドピンと、これらシャットルガイドピンの内側に設けられ前記織成部を中心として旋回するとともに、横糸を織成部に向って導く横糸ボビンを備えたシャットルと、このシャットルにそれぞれ対応して設けられ前記シャットルガイドピンに上下動自在に案内された縦糸を上位に位置させる山部と縦糸を下位に位置させる谷部を外周部に交互に有し、回転によって縦糸を上下に振り分けるシェディングホイールとからなり、前記シャットルガイドピンによって放射状に配置された縦糸をシェディングホイールの回転によって交互に上下に振り分けるとともに、振り分けられた縦糸の間にシャットルを通過させ、横糸ボビンに巻回された横糸を螺旋状に織り込むことにより、筒状ジャケットを織成する円筒織機において、前記シャットルの個数と同じ個数の、前記織成部に補助糸を導出する補助糸ボビンを設け、補助糸ボビンから補助糸を導出し、シャットルで織成された筒状ジャケットの外周に螺旋状に巻き付けるようにしたことを特徴とする。
【００１４】
【発明の実施の形態】
以下、この発明の実施の形態を図面に基づいて説明するが、従来と同一構成部分は同一番号を付して説明を省略する。
図１〜図３は第１の実施形態を示し、回転円盤７の外周には円筒状に等間隔に配置された多数本（奇数）のシャットルガイドピン８が設けられている。したがって、奇数本の縦糸ａは挿通部に挿通された状態で下部リング９ａと上部リング９ｂとの間で上下動自在になっている。ここで、縦糸ａは合成繊維糸として、呼称２５の保形ホースの場合、ポリエステルスパン糸の１０／１０s を２６４本とポリエステルスパン糸の２０／１０s を１本使用する。ポリエステルスパン糸の１０／１０s と２０／１０s の２種類かわりにポリエステルフィラメント１５００Ｄ×１、ナイロンフィラメント１２６０Ｄ×５、ビニロンフィラメント１２００Ｄ×５等を使用してもよい。
【００１５】
また、前記回転円盤７の上部には織成部４を中心に対称的に第１と第２のシャットル３０ａ，３０ｂが設けられている。第１のシャットル３０ａの横糸ボビン１３には従来と同様に横糸ｂが巻回されているが、第２のシャットル３０ｂの横糸ボビン１３には補助糸ｄが巻回されている。ここで、横糸ｂは、例えばアルミニウム、スチール等の線状体または合成繊維のモノフィラメント糸を使用している。この横糸ｂは、図３に示すように、断面が例えば二等辺三角形で、その３つの角部に丸みを付けるとともに、平坦面の底辺部を筒状ジャケット２の内周側に、頂部を筒状ジャケット２の外周側に向けて配列されている。補助糸ｄは横糸ｂより細いフィラメント糸、スパン糸、モノフィラメント糸あるいはスチールワイヤを使用している。
【００１６】
第１のシャットル３０ａの旋回方向側のシェディングホイール１７ａは従来と同一であるが、第２のシャットル３０ｂの旋回方向側のシェディングホイール３１はシャットルガイドピン８の内側で、斜めに取付けられており、このシェディングホイール３１の外周部は全て山部３２であり、円板状に形成されている。すなわち、シャットルガイドピン８相互間の挿通部に挿通された縦糸ａの中途部がシェディングホイール３１の山部３２に掛止しているときは、縦糸ａは常に上位に位置させるようになっている。
【００１７】
したがって、前述のように構成された円筒織機は、第１のシャットル３０ａと第２のシャットル３０ｂとを備えているが、第２のシャットル３０ｂに対応するシェディングホイール３１の外周部は全て山部３２の円板状に形成されているために、シャットルガイドピン８の相互間に挿通された縦糸ａを上下に振り分ける機能はなく、実質的に第１のシャットル３０ａだけで縦糸ａを上下に振り分けているために１シャットルの織機である。
【００１８】
２シャットルの織機の場合、縦糸ａは偶数本で、１シャットルの場合、縦糸ａは奇数本にしないと平織組織を織成できない。ここで、図４に基づいて説明すると、同図（ａ）に示すように、２シャットルの場合、縦糸ａを偶数本（例えば６本）にし、第１のシャットルによって横糸ｂが実線に示すように１周して縦糸ａと織成され、次に第２のシャットルによって横糸ｂが破線で示すように１周して縦糸ａと織成された筒状ジャケットが得られる。しかし、１シャットルの場合、同図（ｂ）に示すように、縦糸ａを奇数本（例えば５本）にし、シャットルによって横糸ｂが実線に示すように１周して縦糸ａと織成され、次に同じシャットルにより横糸ｂが破線で示すように１周して縦糸ａと織成された筒状ジャケットが得られる。
【００１９】
したがって、本実施形態においては、シャットルガイドピン８を奇数本として奇数本の縦糸ａを織成部４に導き、第１のシャットル３０ａに対応するシェジングホイール１７ａの回転によってシャットルガイドピン８相互間の挿通部に挿通された縦糸ａの中途部を上下に振り分けている。すなわち、シャットルガイドピン８によって放射状に配置された縦糸ａをシェジングホイール１７ａの回転によって交互に上下に振り分けるとともに、振り分けられた縦糸ａの間に第１のシャットル３０ａを通過させ、横糸ボビン１３に巻回された横糸ｂを螺旋状に織り込んで筒状ジャケット２を連続的に織成している。
【００２０】
また、第２のシャットル３０ｂに対応するシェジングホイール３１は全て山部３２の円板状に形成されているために、シャットルガイドピン８の相互間に挿通された縦糸ａを常に上位に位置している。したがって、第２のシャットル３０ｂの旋回によって横糸ボビン１３から補助糸ｄが導出され、第１のシャットル３０ａで織成された筒状ジャケットｃの外周に補助糸ｄを螺旋状に巻き付けられる。この結果、補助糸ｄは横糸ｂと交互に配置されているとともに、横糸ｂの底辺部を隣接した状態に配置されている。つまり、補助糸ｄは、縦糸ａとは織成されず、横糸ｂ，ｂ間に位置し、縦糸ａ相互の交叉部に添接状態に螺旋状に巻回され、筒状ジャケット２の外面を補助糸ｄによって被覆することができる。なお、補助糸ｄは筒状ジャケット２の外周に螺旋状に巻回された状態であるが、補助糸ｄに熱融着繊維のメルティ（商品名）を使用する事により、筒状ジャケット２の内側にライニング層を形成する時に熱融着することもできる。
【００２１】
本実施形態では２つのシャットルを持つ織機で説明したが、１つに限定するものではなく、４つ、６つ等の偶数のシャットルを持つ織機なら良い。
図５は第２の実施形態を示し、第１の実施形態と同一構成部分は同一番号を付して説明を省略する。第１の実施形態においては、第２のシャットル３０ｂに対応するシェディングホイール３１の外周部を全て山部３２とし、シャットルガイドピン８の相互間に挿通された縦糸ａを常に上位に位置させ、補助糸ｄと織成されないようにしたが、本実施形態は、シェディングホイール３３の外周部に連続する複数の山部３４に対して１個の割合で谷部３５を設けたものである。すなわち、第１の実施形態の山部１８の山数５〜２０個程度に相当する山部３４に１個の割合で谷部３５を設けたものである。
【００２２】
このように構成すると、シェジングホイール３３の１回転中に数回だけシャットルガイドピン８の相互間に挿通された縦糸ａが谷部３５に落ち込み、縦糸ａと補助糸ｄとが織成される。したがって、筒状ジャケット２の外周に螺旋状に巻回される補助糸ｄが部分的に縦糸ａに織り込まれ、補助糸ｄを部分的に固定することができる。
【００２３】
図６及び図７は第３の実施形態を示し、第１の実施形態と同一構成部分は同一番号を付して説明を省略する。第１の実施形態においては、第１と第２のシャットル３０ａ，３０ｂのうち、第１のシャットル３０ａの横糸ボビン１３に横糸ｂを巻回し、第２のシャットル３０ｂの横糸ボビン１３に補助糸ｄを巻回し、シェジングホイール３０ｂの外周部を全て山部３２とし、シャットルガイドピン８の相互間に挿通された縦糸ａを常に上位に位置させ、補助糸ｄと織成されないようにしたが、本実施形態は、従来と同様のシャットル１０ａ，１０ｂの横糸ボビン１３の下部にシャットル１０ａ，１０ｂと一体に旋回する補助糸ボビン３６，３６を配置したものである。補助糸ボビン３６，３６の平面上の位置は図６に示すように、シャットル１０ａ，１０ｂの間に配置したものである。
【００２４】
補助糸ボビン３６，３６の繰出し側には補助糸ｄのテンションローラ３７が設けられており、補助糸ｄに一定のテンションを付与してセクタ１６に送り込むことができるようになっている。したがって、縦糸ａと横糸ｂとを織成すると共に、補助糸ボビン３６，３６から補助糸ｄ，ｄを導出して筒状ジャケット２の外周に補助糸ｄを螺旋状に巻回することができる。このように構成することにより、第１の実施形態より２倍のスピードで織成できる。
【００２５】
本実施形態では２つのシャットルを持つ織機の図面で説明したが、１つに限定するものではなく、幾つのシャットルを持つ織機でも良い。ただし、シャットルが偶数の場合はシャットルガイドピンも偶数、シャットルが奇数の場合はシャットルガイドピンも奇数となる。
【００２６】
【発明の効果】
以上説明したように、請求項１の発明によれば、従来の円筒織機を一部改良するだけで、筒状ジャケットを織成すると共に、その筒状ジャケットの外周に補助糸を一工程で螺旋状に連続的に巻回して外面被覆ホース用のジャケットを織成できる。
【００２７】
請求項２によれば、請求項１の効果に加え、補助糸を部分的に縦糸によって結束できるという効果がある。
請求項３によれば、偶数のシャットルのそれぞれに織成部に補助糸を導出する補助糸ボビンを設け、補助糸ボビンから補助糸を導出して他のシャットルで織成された筒状ジャケットの外周に螺旋状に巻き付けることにより、補助糸を高速に巻回することができるという効果がある。
【図面の簡単な説明】
【図１】この発明の第１の実施形態を示す円筒織機の要部の縦断正面図。
【図２】同実施形態の円筒織機の要部の平面図。
【図３】同実施形態の筒状ジャケットの一部を拡大した断面図。
【図４】一般的な織成手順を示し、（ａ）は２シャットルの場合の説明図、（ｂ）は１シャットルの場合の説明図。
【図５】この発明の第２の実施形態を示す円筒織機の要部の平面図。
【図６】この発明の第３の実施形態を示す円筒織機の要部の縦断側面図。
【図７】同実施形態を示す円筒織機の要部の平面図。
【図８】従来の円筒織機の要部の縦断側面図。
【図９】従来の円筒織機の要部の平面図。
【図１０】従来の円筒織機のシェジングホイールの縦断側面図。
【符号の説明】
１…本体
２…筒状ジャケット
４…織成部
８…シャットルガイドピン
１３…横糸ボビン
１７ａ，３１…シェジングホイール
３０ａ，３０ｂ…シャットル
ａ…縦糸
ｂ…横糸
ｄ…補助糸
【図１】
0003821556.tif 000002
【図２】
0003821556.tif 000003
【図３】
0003821556.tif 000004
【図４】
0003821556.tif 000005
【図５】
0003821556.tif 000006
【図６】
0003821556.tif 000007
【図７】
0003821556.tif 000008
【図８】
0003821556.tif 000009
【図９】
0003821556.tif 000010
【図１０】
0003821556.tif 000011